(57)【要約】【課題】成年後見制度における各種手続において必要な書類をユーザが容易に取得する。【解決手段】端末と通信可能な情報処理装置は、成年後見制度における各種手続について裁判所毎に設けられた複数の書類データ３０Ｄが記憶された記憶手段３０と、裁判所の管轄情報及び後見の類型情報を前記端末から受け付ける受付手段３２と、受け付けられた情報に基づいて、前記複数の書類データの中から管轄する裁判所および後見の類型に対応した少なくとも１つの書類データを抽出する抽出手段３４と、抽出された書類データを前記端末に提供する提供手段３８と、を備える。【選択図】図３
2018163382.tif 000002
【特許請求の範囲】
【請求項１】
端末と通信可能な情報処理装置であって、
成年後見制度における各種手続について裁判所毎に設けられた複数の書類データが記憶された記憶手段と、
裁判所の管轄情報及び後見の類型情報を前記端末から受け付ける受付手段と、
受け付けられた情報に基づいて、前記複数の書類データの中から管轄する裁判所および後見の類型に対応した少なくとも１つの書類データを抽出する抽出手段と、
抽出された書類データを前記端末に提供する提供手段と、
を備える情報処理装置。
【請求項２】
抽出された書類データに関する質問情報を前記端末に送信し、前記質問情報に対する回答情報を前記端末から受け付け、受け付けた回答情報と、抽出された書類データとに基づき、記入事項が記入された状態の記入済書類データを作成する作成手段を更に備え、
前記提供手段は、前記記入済書類データを前記端末に提供する、
請求項１に記載の情報処理装置。
【請求項３】
前記提供手段は、裁判所への定期報告の期日を前記端末に通知する、
請求項１又は２に記載の情報処理装置。
【請求項４】
成年後見制度における各種手続について裁判所毎に設けられた複数の書類データが記憶され、端末と通信可能なコンピュータを、
裁判所の管轄情報及び後見の類型情報を前記端末から受け付ける受付手段、
受け付けられた情報に基づいて、前記複数の書類データの中から管轄する裁判所および後見の類型に対応した少なくとも１つの書類データを抽出する抽出手段、
抽出された書類データを前記端末に提供する提供手段、
として機能させるためのプログラム。
【発明の詳細な説明】
【技術分野】
【０００１】
本発明は、情報処理装置及びプログラムに関する。
【背景技術】
【０００２】
従来から、成年後見制度を利用する際、家庭裁判所に対し各種手続が必要となっており、その各種手続をするためには対応する書類の提出が必要となっている。
【０００３】
これに関し、下記特許文献１には、各種手続に対応する書類の電子フォームを記憶するフォームデータベースと、ユーザから各種手続のうち一つの指定を受け取り、指定された手続に対応する電子フォームをフォームデータベースから取得して利用者端末に送信するシステムが開示されている。
【先行技術文献】
【特許文献】
【０００４】
【特許文献１】特開２００２−２８８３７４号公報
【発明の概要】
【発明が解決しようとする課題】
【０００５】
しかしながら、上記特許文献１に記載のシステムでは、１つの手続に対応する書類の種類や書式が複数ある場合には、指定された手続に対応する電子フォームを取得することができない。実際、成年後見制度における各種手続においては、同じ手続であっても、管轄の家庭裁判所等によって対応する書類の種類や書式が異なっているため、非常に数多くの書類が存在している。したがって、ユーザが一般の人である場合は、数多くの書類の中からどの書類を取得して提出すれば良いのか把握できず、結局、裁判所に足を運ぶか、或いは法律家に聞かなければならない状況にあった。
【０００６】
本発明は以上説明した事情を鑑みてなされたものであり、成年後見制度における各種手続において必要な書類をユーザが容易に取得することができる情報処理装置を提供することを目的の１つとする。
【課題を解決するための手段】
【０００７】
本発明の第一態様における情報処理装置は、端末と通信可能な情報処理装置であって、成年後見制度における各種手続について裁判所毎に設けられた複数の書類データが記憶された記憶手段と、裁判所の管轄情報及び後見の類型情報を前記端末から受け付ける受付手段と、受け付けられた情報に基づいて、前記複数の書類データの中から管轄する裁判所および後見の類型に対応した少なくとも１つの書類データを抽出する抽出手段と、抽出された書類データを前記端末に提供する提供手段と、を備える。
【０００８】
この態様によれば、裁判所の管轄情報及び後見の類型情報に基づいて抽出された書類データが端末に提供されるので、端末のユーザは、情報処理装置から提供された書類データを裁判所等に提出すればよく、提出の際に、どの書類を取得すればよいか悩む必要がない。したがって、成年後見制度における各種手続において必要な書類をユーザが容易に取得することができる。
【発明の効果】
【０００９】
本発明によれば、成年後見制度における各種手続において必要な書類をユーザが容易に取得することができる。
【図面の簡単な説明】
【００１０】
【図１】図１は、本実施形態に係る情報処理装置を含む書類作成支援システムの全体構成の一例を示す図である。
【図２】図２は、サーバ装置のハードウェア構成の一例を概略的に示す図である。
【図３】図３は、サーバ装置の機能的な構成の一例を概略的に示すブロック図である。
【図４】図４は、図３に示す抽出テーブルの一例を説明するための説明図である。
【図５】図５は、本実施形態に係るサーバ装置と端末との処理の流れを示すフローチャートである。
【図６】図６は、図５に示すフローチャートから続く処理の流れを示すフローチャートである。
【図７】図７は、端末に表示されるユーザ情報の入力ページを説明するための説明図である。
【発明を実施するための形態】
【００１１】
以下、添付図面を参照しながら本発明の実施形態について説明する。説明の理解を容易にするため、各図面において同一の構成要素及びステップに対しては可能な限り同一の符号を付して、重複する説明は省略する。
【００１２】
図１は、本実施形態に係る情報処理装置を含む書類作成支援システムの全体構成の一例を示す図である。図１に示すように、書類作成支援システム１は、情報処理装置としてのサーバ装置１０と、一又は複数の端末１２と、を備える。サーバ装置１０と端末１２は、インターネットやイントラネット等の通信ネットワークＮＴを介して互いに通信可能に接続されている。
【００１３】
サーバ装置１０は、管理者が管理する装置である。サーバ装置１０は、書類作成支援に関するウェブサイトを端末１２に提供する装置である。また、サーバ装置１０は、ウェブサイトにおいて端末１２から入力・送信される各種情報に基づいて、ユーザが所望する手続に対応する書類を抽出・作成し、端末１２に提供する。
【００１４】
端末１２は、成年後見制度を利用するユーザ（各種者）の端末である。端末１２は、各種情報を入力・表示するため、入力装置と、表示装置等を備える。また、端末１２は、ウェブサイトに接続してハイパーテキストに対応する画像・文字を表示装置に表示するためのソフトウェア（ブラウザ）を有している。端末１２としては、デスクトップパソコン等の非可搬型通信装置や、携帯電話、スマートフォン、ＰＨＳ、衛星携帯電話、タブレット、及び、ノートパソコン等の可搬型通信装置等が挙げられる。
【００１５】
図２は、サーバ装置１０のハードウェア構成の一例を概略的に示す図である。図２に示すように、サーバ装置１０は、制御装置２０と、通信装置２６と、記憶装置２８と、を備える。制御装置２０は、ＣＰＵ（Ｃｅｎｔｒａｌ  Ｐｒｏｃｅｓｓｉｎｇ  Ｕｎｉｔ）２２及びメモリ２４を主に備えて構成される。
【００１６】
制御装置２０では、ＣＰＵ２２がメモリ２４或いは記憶装置２８等に格納された所定のプログラムを実行することにより、各種の機能実現手段として機能する。この機能実現手段の詳細については後述する。
【００１７】
通信装置２６は、外部の装置と通信するための通信インターフェース等で構成される。通信装置２６は、例えば、端末１２との間で各種の情報を送受信する。
【００１８】
記憶装置２８は、ハードディスク等で構成される。記憶装置２８は、制御装置２０における処理の実行に必要な各種プログラムや各種の情報、及び処理結果の情報を記憶する。
【００１９】
なお、サーバ装置１０は、専用又は汎用のサーバ・コンピュータなどの情報処理装置を用いて実現することができる。なお、サーバ装置１０は、単一の情報処理装置より構成されるものであっても、通信ネットワークＮＴ上に分散した複数の情報処理装置より構成されるものであってもよい。
【００２０】
なお、図２は、サーバ装置１０が有する主要なハードウェア構成の一部を示しているに過ぎず、サーバ装置１０は、サーバが一般的に備える他の構成を備えることができる。
【００２１】
複数の端末１２のハードウェア構成も、例えば操作手段や表示装置を備える他は、サーバ装置１０と同様の構成を備えることができる。
【００２２】
図３は、サーバ装置１０の機能的な構成の一例を概略的に示すブロック図である。図３に示すように、サーバ装置１０は、記憶手段３０と、受付手段３２と、抽出手段３４と、作成手段３６と、提供手段３８と、を備える。記憶手段３０は、一又は複数の記憶装置２８で実現される。受付手段３２と、抽出手段３４と、作成手段３６と、提供手段３８とは、記憶装置２８等に格納されたプログラムを制御装置２０が実行することにより実現される。
【００２３】
記憶手段３０には、例えば、複数のウェブページ３０Ａと、複数のユーザ情報３０Ｂと、複数の抽出テーブル３０Ｃと、複数の書類データ３０Ｄと、が記憶されている。
【００２４】
複数のウェブページ３０Ａは、書類作成支援に関するウェブサイトを構成するウェブページ（正確には、ウェブページを表示させるためのハイパーテキストファイル群）である。複数のウェブページ３０Ａには、トップページやユーザ情報の入力ページ等を含む。ユーザ情報３０Ｂは、各端末１２のユーザによって作成されたログインアカウント毎（ではなく、「ログインアカウント毎」）に記憶されている。各ユーザ情報３０Ｂは、例えば、ユーザにより登録される、裁判所の管轄情報及び後見の類型情報を含む。抽出テーブル３０Ｃは、例えば、成年後見制度に関する手続の種類毎に記憶されている。抽出テーブル３０Ｃは、抽出手段３４が複数の書類データ３０Ｄから少なくとも１つの書類データを抽出するために利用される。この抽出テーブル３０Ｃの詳細は、後述する。書類データ３０Ｄは、成年後見制度における各種手続について裁判所毎に設けられた書類データ（の雛形データ）を含む。
【００２５】
受付手段３２は、成年後見制度に関する手続の種類情報、裁判所の管轄情報及び後見の類型情報を端末１２から受け付ける機能手段である。また、受付手段３２は、受け付けた手続の種類情報に関する質問情報を端末１２に送信し、質問情報に対する回答情報を端末１２から受け付ける機能手段でもある。
【００２６】
抽出手段３４は、受付手段３２により受け付けられた情報に基づいて、複数の書類データ３０Ｄの中から管轄する裁判所および後見の類型に対応した少なくとも１つの最適な書類データを抽出する機能手段である。
【００２７】
作成手段３６は、受付手段３２により受け付けられた回答情報と、抽出手段３４により抽出された書類データとに基づき、記入事項が記入された状態の記入済書類データを作成する機能手段である。
【００２８】
提供手段３８は、抽出手段３４により抽出された書類データ、及び、抽出された書類データに基づき作成された記入済書類データを端末１２に提供する機能手段である。また、提供手段３８は、複数のウェブページ３０Ａを端末１２に提供する機能手段でもある。
【００２９】
図４は、図３に示す抽出テーブル３０Ｃの一例を説明するための説明図である。図４に示すように、抽出テーブル３０Ｃには、例えば１行毎に、裁判管轄と、後見の類型と、書類データ名と、が対応付けて記録されている。
【００３０】
ここで、抽出テーブル３０Ｃが例えば成年後見・保佐・補助開始申立に関する手続に対応するものとする。この手続きに必要な書類は、成年後見・保佐・補助開始申立書となるが、その種類や書式は、裁判管轄と後見の類型によって異なっているので、同じ手続きに関しても複数の書類データが記憶手段３０に記憶され、これに対応して抽出テーブル３０Ｃが用意されている。すなわち、抽出テーブル３０Ｃには、裁判管轄毎、後見の類型毎に、予め定められた手続きに必要な書類の書類データ名が記述されている。なお、少なくとも２つ以上の一部の書類データ名に関しては、互いに異なる裁判管轄又は異なる後見の類型であっても、同じ書類データ名が記述されていてもよい。
【００３１】
図５は、本実施形態に係るサーバ装置１０と端末１２との処理の流れを示すフローチャートである。
【００３２】
（ステップＳＰ１０）
端末１２は、ユーザの操作に応じて、書類作成支援に関するウェブサイトのトップページ要求をサーバ装置１０に送信する。そして、処理は、ステップＳＰ１２の処理に移行する。
【００３３】
（ステップＳＰ１２）
サーバ装置１０の受付手段３２は、トップページ要求を端末１２から受け付ける（受信する）。これに応答して、サーバ装置１０の提供手段３８は、ウェブページ３０Ａの中からトップページを取得し、取得したトップページを要求元の端末１２に提供（送信）する。そして、処理は、ステップＳＰ１４の処理に移行する。
【００３４】
（ステップＳＰ１４）
端末１２は、トップページをサーバ装置１０から受信する。そして、処理は、ステップＳＰ１６の処理に移行する。
【００３５】
（ステップＳＰ１６）
端末１２は、トップページにおけるユーザの操作に応答して、ユーザ情報の入力ページ要求をサーバ装置１０に送信する。そして、処理は、ステップＳＰ１８の処理に移行する。
【００３６】
（ステップＳＰ１８）
サーバ装置１０の受付手段３２は、入力ページ要求を端末１２から受信する。これに応答して、提供手段３８は、ウェブページ３０Ａの中から入力ページを取得し、当該入力ページを端末１２に提供（送信）する。そして、処理は、ステップＳＰ２０の処理に移行する。
【００３７】
（ステップＳＰ２０）
端末１２は、入力ページをサーバ装置１０から受信する。これに応答して、端末１２は、入力ページを表示する。そして、処理は、ステップＳＰ２２の処理に移行する。
【００３８】
（ステップＳＰ２２）
端末１２は、入力ページにおいてユーザによるユーザ情報の入力を受け付ける。そして、受け付けたユーザ情報をサーバ装置１０に送信する。ここで、図７は、端末１２に表示されるユーザ情報の入力ページを説明するための説明図である。図７に示すように、入力ページ１００は、家庭裁判所の管轄情報を選択入力する選択入力欄１０２、申立時の後見の類型情報を選択入力するための選択入力欄１０４、申立後の類型情報を選択入力するための選択入力欄１０６、確認ボタン１０８等を有している。これらの選択入力欄１０２〜１０６等へのユーザの入力が完了し、確認ボタン１０８の押下を受け付けると、端末１２は、ユーザ情報を受け付けてその確認ページを表示し、確認ページにおいて確定ボタンの押下を受け付けると、ユーザ情報を確定する。ここで、上述した通り、ユーザ情報には、裁判所の管轄情報及び後見の類型情報が含まれる。そして、処理は、ステップＳＰ２４の処理に移行する。
【００３９】
（ステップＳＰ２４）
サーバ装置１０の受付手段３２は、ユーザ情報を受け付ける（受信する）。これに応答して、受付手段３２は、受け付けたユーザ情報を、ユーザ情報３０Ｂの１つとして記憶手段３０に記憶する。そして、処理は、ステップＳＰ２６の処理に移行する。
【００４０】
（ステップＳＰ２６）
端末１２は、完了ページもしくは書類選択ページを表示し、当該ページにおけるユーザの操作に応答して、成年後見制度に関する手続の種類情報の入力を受け付け、受け付けた種類情報と、その種類の手続に対応する書類の選択ページ要求をサーバ装置１０に送信する。
【００４１】
（ステップＳＰ２８）
サーバ装置１０の受付手段３２は、種類情報と、選択ページ要求を端末１２から受け付ける（受信する）。選択ページ要求の受け付けに応答して、サーバ装置１０の抽出手段３４は、受け付けられた種類情報に対応する抽出テーブル３０Ｃを取得する。そして、抽出手段３４は、取得した抽出テーブル３０Ｃを参照する。そして、処理は、ステップＳＰ３０の処理に移行する。
【００４２】
（ステップＳＰ３０）
抽出手段３４は、記憶手段３０に格納されているユーザ情報３０Ｂの中から要求元の端末１２に対応するユーザ情報を取得する。そして、抽出手段３４は、抽出テーブル３０Ｃの中からユーザ情報の管轄情報と一致する行を検索する。そして、処理は、ステップＳＰ３２の処理に移行する。
【００４３】
（ステップＳＰ３２）
抽出手段３４は、検索した行の中からユーザ情報の類型情報と一致する行を検索する。これにより、抽出テーブル３０Ｃの中から１つの行を検索することができる。そして、処理は、ステップＳＰ３４の処理に移行する。
【００４４】
（ステップＳＰ３４）
抽出手段３４は、検索した１つの行の中の書類データ名の欄から、ユーザが入力した手続に必要な書類データ名を抽出する。そして、処理は、ステップＳＰ３６の処理に移行する。
【００４５】
（ステップＳＰ３６）
サーバ装置１０の作成手段３６は、複数のウェブページ３０Ａの中から選択ページの雛形ページを取得し、当該雛形ページと、抽出された書類データ名とに基づき、書類の選択ページを作成する。なお、裁判所の管轄毎、後見の類型毎に選択ページが既に用意されていてもよい。既に用意されていれば、選択ページを作成する処理を省略することができる。この場合、抽出テーブル３０Ｃには、書類データ名の代わりには、選択ページのアドレス等が記述されていてもよい。そして、処理は、ステップＳＰ３８の処理に移行する。
【００４６】
（ステップＳＰ３８）
提供手段３８は、作成された選択ページを端末１２に提供（送信）する。そして、処理は、ステップＳＰ４０の処理に移行する。
【００４７】
（ステップＳＰ４０）
端末１２は、選択ページをサーバ装置１０から受信する。これに応答して、端末１２は、選択ページを表示する。そして、処理は、ステップＳＰ５０の処理に移行する。
【００４８】
図６は、図５に示すフローチャートから続く処理の流れを示すフローチャートである。
【００４９】
（ステップＳＰ５０）
端末１２は、選択ページにおいてユーザによる書類の選択を受け付ける。これに応答して、端末１２は、選択された書類の要求（書類要求）をサーバ装置１０に送信する。そして、処理は、ステップＳＰ５２の処理に移行する。なお、書類要求には、抽出された書類データ名のうちユーザにより選択された書類の書類データ名（書類識別情報）が含まれる。
【００５０】
（ステップＳＰ５２）
サーバ装置１０の受付手段３２は、書類要求を端末１２から受け付ける（受信する）。これに応答して、サーバ装置１０の作成手段３６は、複数のウェブページ３０Ａの中から書類要求に対応する回答情報入力ページを取得し、取得した回答情報入力ページを端末１２に送信する。なお、回答情報入力ページには、書類要求に含まれる書類データ名が示す書類に関する質問情報とその回答欄が記述されている。そして、処理は、ステップＳＰ５４の処理に移行する。
【００５１】
（ステップＳＰ５４）
端末１２は、回答情報入力ページをサーバ装置１０から受信する。これに応答して、端末１２は、回答情報入力ページを表示する。そして、処理は、ステップＳＰ５６の処理に移行する。
【００５２】
（ステップＳＰ５６）
端末１２は、回答情報入力ページにおいてユーザによる回答情報の入力を受け付ける。そして、端末１２は、受け付けた回答情報をサーバ装置１０に送信する。そして、処理は、ステップＳＰ５８の処理に移行する。
【００５３】
（ステップＳＰ５８）
サーバ装置１０の受付手段３２（又は作成手段３６）は、回答情報を端末１２から受け付ける（受信する）。これに応答して、受付手段３２は、受け付けた回答情報を記憶手段３０に記憶する。そして、処理は、ステップＳＰ６０の処理に移行する。
【００５４】
（ステップＳＰ６０）
抽出手段３４は、複数の書類データ３０Ｄの中から、書類要求に含まれる書類識別情報が示す書類データを抽出する。なお、書類要求は、裁判所の管轄情報及び後見の類型情報に基づいて抽出された書類データ名の中から選択された書類の要求であるため、書類データは、裁判所の管轄情報及び後見の類型情報に基づいて抽出されることになる。
そして、処理は、ステップＳＰ６２の処理に移行する。
【００５５】
（ステップＳＰ６２）
作成手段３６は、受け付けた回答情報と、抽出された書類データとに基づき、記入事項が記入された状態の記入済書類データを作成する。具体的には、作成手段３６は、抽出された書類データの対応する個所に、受け付けた回答情報を埋め込むことにより、記入済書類データを作成する。そして、処理は、ステップＳＰ６４の処理に移行する。
【００５６】
（ステップＳＰ６４）
提供手段３８は、作成手段３６により作成された記入済書類データを要求元の端末１２に提供（送信）する。そして、処理は、ステップＳＰ６６の処理に移行する。
【００５７】
（ステップＳＰ６６）
端末１２は、記入済書類データをサーバ装置１０から受信する。これに応答して、端末１２は、記入済書類データを表示する。そして、処理は、ステップＳＰ６８の処理に移行する。
【００５８】
（ステップＳＰ６８）
端末１２は、ユーザの操作に応答して、記入済書類データを印刷又はメールする。そして、一連の処理が終了する。
【００５９】
以上、本実施形態によれば、裁判所の管轄情報及び後見の類型情報に基づいて抽出された書類データが端末に提供されるので、端末のユーザは、情報処理装置から提供された書類データを裁判所等に提出すればよく、提出の際に、どの書類を取得すればよいか悩む必要がない。したがって、成年後見制度における各種手続において必要な書類を容易に且つ過不足なく取得することができる。
【００６０】
また、本実施形態によれば、端末１２に提供される抽出データは、回答情報と、抽出手段３４により抽出された書類データ（雛形データ）とに基づいて作成された記入済書類データなので、記入済書類データを印刷して、印刷した書類をそのまま裁判所に提出することができる。したがって、書き方が分かっていないユーザでも、書類を記入する必要がなく、容易に書類を提出することができる。
【００６１】
以上、一つの具体例を参照しつつ本発明の実施の形態について説明した。しかし、本発明は一つの具体例に限定されるものではない。すなわち、一つの具体例に、当業者が適宜設計変更を加えたものも、本発明の特徴を備えている限り、本発明の範囲に包含される。前述した一つの具体例が備える各要素およびその配置、条件、処理などは、例示したものに限定されるわけではなく適宜変更することができる。
【００６２】
例えば、ステップＳＰ３４の後、抽出手段３４は、複数の書類データ３０Ｄの中から抽出した書類データ名に対応する書類データを抽出し、提供手段３８は、抽出された書類データを端末１２に提供してもよい。この場合、端末１２のユーザは、書類データを表示して書類データ内の記入事項を自ら記入することになるが、各種手続において必要な書類（書類データ）は容易に取得することができる。
【００６３】
また、受付手段３２は更に、裁判所への定期報告の期日の入力を受け付け、記憶手段３０に記憶してもよい。この場合、提供手段３８は、記憶手段３０に記憶された期日を参照し、当該期日になる前に、期日を、定期的に或いはランダムに、端末１２に提供（通知）してもよい。この構成によれば、ユーザは、期日を忘れても当該期日が通知されるので、期日までに確実に定期報告を行うことができる。
【００６４】
また、受付手段３２は、ユーザの住所情報とともに、管轄検索要求を受け付けてもよい。これに応答して、提供手段３８は、住所情報に基づき、対応する裁判所の管轄情報を検索し、これを端末１２に提供（通知）してもよい。
【００６５】
また、家庭裁判所に対する各種手続をするための書類は、裁判所によって定期的に変更される場合がある。この場合、従来では、一般の人はそれに気付くことが容易ではなく、しかも最新版の書類を取り寄せることが手間であった。そこで、サーバ装置１０は、定期的或いはランダムなタイミングで、最新の書類データを取得し、取得した最新の書類データを記憶手段３０に記憶することで、当該記憶手段３０に既に記憶されている書類データ３０Ｄを更新してもよい。なお、取得する方法は、サーバ装置１０の管理者等が手動で取得してもよいし、サーバ装置１０が、裁判所等のサーバ装置と通信して当該サーバ装置から自動的に取得してもよい。
【符号の説明】
【００６６】
１０…サーバ装置（情報処理装置）、３０…記憶手段、３２…受付手段、３４…抽出手段、３６…作成手段、３８…提供手段
【図１】
2018163382.tif 000003
【図２】
2018163382.tif 000004
【図３】
2018163382.tif 000005
【図４】
2018163382.tif 000006
【図５】
2018163382.tif 000007
【図６】
2018163382.tif 000008
【図７】
2018163382.tif 000009
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
端末と通信可能な情報処理装置であって、
成年後見制度における各種手続について裁判所毎に設けられた複数の書類データが記憶された記憶手段と、
裁判所の管轄情報及び後見の類型情報を前記端末から受け付ける受付手段と、
受け付けられた情報に基づいて、前記複数の書類データの中から管轄する裁判所および後見の類型に対応した少なくとも１つの書類データ名を抽出する抽出手段と、
抽出された書類データ名に基づいて、書類の選択ページを作成する作成手段と、
作成された書類の選択ページを前記端末に提供する提供手段と、
を備える情報処理装置。
【請求項２】
前記作成手段は、抽出された書類データに関する質問情報を前記端末に送信し、前記質問情報に対する回答情報を前記端末から受け付け、受け付けた回答情報と、抽出された書類データとに基づき、記入事項が記入された状態の記入済書類データを作成し、
前記提供手段は、前記記入済書類データを前記端末に提供する、
請求項１に記載の情報処理装置。
【請求項３】
前記提供手段は、裁判所への定期報告の期日を前記端末に通知する、
請求項１又は２に記載の情報処理装置。
【請求項４】
成年後見制度における各種手続について裁判所毎に設けられた複数の書類データが記憶され、端末と通信可能なコンピュータを、
裁判所の管轄情報及び後見の類型情報を前記端末から受け付ける受付手段、
受け付けられた情報に基づいて、前記複数の書類データの中から管轄する裁判所および後見の類型に対応した少なくとも１つの書類データ名を抽出する抽出手段、
抽出された書類データ名に基づいて、書類の選択ページを作成する作成手段、
作成された書類の選択ページを前記端末に提供する提供手段、
として機能させるためのプログラム。